(57)【要約】【課題】放射線画像撮影システムにおける、誤撮影を無くすことで再撮影を防止し、かつ、バッテリの寿命を延ばすことを目的とする。【解決手段】一の放射線画像検出器が選択された場合に、他の放射線画像検出器も撮影モードに切替える。そうすることで、使用者が選択していない放射線画像検出器を誤って用いて撮影した場合でも、撮影した画像が利用でき、誤撮影を無くすことができる。また、使用しない放射線画像検出器を撮影待機モードに切替えることでバッテリの寿命を延ばすことができる。【選択図】図５
2009219586.tif 000002
【特許請求の範囲】
【請求項１】
内蔵バッテリと、撮影モード又は、前記撮影モードより消費電力が小さい撮影待機モードの切替えに応じて各部に供給する電力を切替える電源部を備え、
撮影室内において放射線源から照射され被検体を透過した放射線に基づいて画像データを取得する複数の放射線画像検出器と、
前記複数の放射線画像検出器の中から１つの放射線画像検出器を使用者が撮影モードに選択する選択手段と、前記複数の放射線画像検出器と前記放射線源の動作を制御する制御手段と、選択された放射線画像検出器を選択されたモードへ切替えるモード制御手段と、前記放射線画像検出器と前記モード制御手段との間で通信を行う通信手段とを備えた、制御装置と、
を有する放射線画像撮影システムであって、
前記モード制御手段は、前記選択手段の入力指示により使用する撮影室内の一の放射線画像検出器を撮影モードに切替えるとともに、該撮影室内の他の放射線画像検出器を撮影モードに切替えることを特徴とする放射線画像撮影システム。
【請求項２】
前記放射線画像検出器は照射された放射線を検出する放射線検出手段を有し、
前記モード制御手段は、前記撮影室内の全ての前記放射線画像検出器を撮影モードに切替えた後、
前記モード制御手段は、前記放射線源に照射指示を出してから所定時間内に前記放射線検出手段が放射線を検出しない放射線画像検出器を撮影待機モードに切替えることを特徴とする請求項１記載の放射線画像撮影システム。
【請求項３】
前記放射線画像検出器は前記放射線検出手段を有し、
前記モード制御手段は、撮影モードに切替えた後、所定時間内に放射線を検出されなかった放射線画像検出器を、撮影待機モードに切替えるよう制御することを特徴とする請求項１に記載の放射線画像撮影システム。
【請求項４】
前記通信手段は無線通信手段であることを特徴とする請求項１から請求項３のいずれかに記載の放射線画像撮影システム。
【発明の詳細な説明】
【技術分野】
【０００１】
本発明は、Ｘ線画像に代表される放射線画像を撮影する放射線画像撮影システムに関する。
【背景技術】
【０００２】
医療診断を目的とするＸ線撮影装置の分野においては、Ｘ線を電気信号に変換するＸ線画像撮影手段（以下、ＦＰＤという）を用いたＸ線画像撮影システムが使用され始めている。ＦＰＤには、Ｘ線を蛍光体によってＸ線の強度に比例した可視光に変換し、変換された光を光電変換素子を用いて電気信号に変換する間接型ＦＰＤと、照射されたＸ線を直接光電変換素子により電気信号に変換する直接型ＦＰＤがある。
【０００３】
ＦＰＤをハンドリングに有利な可搬型放射線画像検出器に内蔵することにより、被検体がいる様々な場所で、当該被検体の様々な部位を撮影することが可能となり、従来のフィルム／スクリーンシステムやＣＲシステムに対し、より迅速に診断画像を得ることができる。また可搬型放射線画像検出器は、その機動性を活かす為に、ケーブルによる電源供給方式では無く、その電源供給を内部のバッテリにより行っているが、そのバッテリ寿命を延ばすために通常の撮影可能な各構成部に電源を供給した撮影モードとは別に撮影待機モードを設け、消費電流の低減を図る場合がある。撮影待機モードとは、必要最低限の構成部、例えば上位装置との制御用通信機能部にしか電源を供給させないモードのことであり、撮影モードに比べて消費電力を少なくすることができる。特許文献１に記載の技術は、クレードル装置に放射線画像検出器が収納されていることを検出する検出手段を設け、クレードル装置から放射線画像検出器を外したときに、外した放射線画像検出器を撮影モードに切替えることで、各放射線画像検出器を常時撮影が可能な状態にしている。また、クレードル装置に放射線画像検出器が収納されている時には、放射線画像検出器を撮影待機モードにしてＸ線画像撮影システムとして省電力化している。
【特許文献１】特開２００２−２４８０９５号公報
【発明の開示】
【発明が解決しようとする課題】
【０００４】
放射線の漏洩が防止され、少なくとも１つの放射線発生手段を備える一の撮影室の中に、複数個の放射線画像検出器が使用される場合がある。これは、間接型ＦＰＤの場合には、照射放射線に対するシンチレータの感度やＦＰＤのピクセルサイズを加味して複数の放射線画像検出器を準備しておき、撮影対象被検体の各撮影部位に適した放射線画像検出器を使用して、より良い診断用画像を提供するためである。
【０００５】
しかし、上記のように、複数の放射線画像検出器を使用する場合に、当該放射線画像検出器を必ずクレードル装置に戻すフローを基本とする上記特許文献方式は、技師に、３〜５ｋｇの質量がある可搬型放射線画像検出器を複数携えて移動する負荷を強いることになり好ましいものでは無い。
【０００６】
特に、複数の撮影室で、複数の技師が撮影を行う場合、ＦＰＤを使用する高価な放射線画像検出器は、複数の技師に共有で使用されることになるので、技師が撮影中に入ることができない撮影室にはクレードル装置は設置されず、撮影室外にクレードル装置は設置されることとなる。そうすると、各撮影室とクレードル装置との距離は長くなり、技師が各撮影室とクレードル装置との間を移動する際の負担が増えてしまう。
【０００７】
本発明は、複数のバッテリ内蔵型放射線画像検出器の使用を予定しつつ、他の放射線画像検出器を放置したまま一の放射線画像検出器を用いて撮影を行う場合において、誤撮影を防止し、且つ、複数の内蔵バッテリの長寿命化を図ることを可能とする。
【課題を解決するための手段】
【０００８】
（１）内蔵バッテリと、撮影モード又は、前記撮影モードより消費電力が小さい撮影待機モードの切替えに応じて各部に供給する電力を切替える電源部を備え、
撮影室内において放射線源から照射され被検体を透過した放射線に基づいて画像データを取得する複数の放射線画像検出器と、
前記複数の放射線画像検出器の中から１つの放射線画像検出器を使用者が撮影モードに選択する選択手段と、前記複数の放射線画像検出器と前記放射線源の動作を制御する制御手段と、選択された放射線画像検出器を選択されたモードへ切替えるモード制御手段と、前記放射線画像検出器と前記モード制御手段との間で通信を行う通信手段とを備えた、制御装置と、
を有する放射線画像撮影システムであって、
前記モード制御手段は、前記選択手段の入力指示により使用する撮影室内の一の放射線画像検出器を撮影モードに切替えるとともに、該撮影室内の他の放射線画像検出器を撮影モードに切替えることを特徴とする放射線画像撮影システム。
（２）前記放射線画像検出器は照射された放射線を検出する放射線検出手段を有し、
前記モード制御手段は、前記撮影室内の全ての前記放射線画像検出器を撮影モードに切替えた後、
前記モード制御手段は、前記放射線源に照射指示を出してから所定時間内に前記放射線検出手段が放射線を検出しない放射線画像検出器を撮影待機モードに切替えることを特徴とする（１）記載の放射線画像撮影システム。
（３）前記放射線画像検出器は前記放射線検出手段を有し、
前記モード制御手段は、撮影モードに切替えた後、所定時間内に放射線を検出されなかった放射線画像検出器を、撮影待機モードに切替えるよう制御することを特徴とする（１）に記載の放射線画像撮影システム。
【発明の効果】
【０００９】
撮影を開始することを制御装置から技師が入力すると、撮影室内にある全ての放射線画像検出器を撮影モードに遷移させるので、モード遷移忘れによる再撮影が無く、被検体に対する被爆線量をいたずらに増加させることが無い。又、撮影に未使用だった放射線画像検出器を比較的短時間後に再び撮影待機モードに切替えるので、バッテリの短命化を抑制することができる。
【発明を実施するための最良の形態】
【００１０】
以下、図面を参照しながら本発明に係る放射線画像検出器（放射線画像検出器をカセッテとも称す）及び放射線画像撮影システムの第１の実施形態について説明する。ただし、本発明は図示例のものに限定されるものではない。
【００１１】
図１は、放射線画像撮影システムの概略構成を示す図である。図１に示すように、放射線画像撮影システム１００は、病院内で行われる放射線画像撮影を想定しており、例えば撮影本室６内に設置され、被検体にＸ線等の放射線を照射して放射線画像をカセッテ１にて取得することで放射線撮影を行う放射線画像撮影装置２と、放射線画像撮影及び得られた放射線画像データに関する指示を行うコンソール装置３と、院内の放射線画像撮影の予約管理を行い、所定の撮影本室６の撮影予約が入るとコンソール装置３に撮影要求の指示を送信し、コンソール装置３から撮影後に送信される放射線画像データを記憶するホストコンピュータ４と、撮影を行わないときにカセッテ１を載置して充電を行うクレードル装置５と、無線ＬＡＮ（Ｌｏｃａｌ  Ａｒｅａ  Ｎｅｔｗｏｒｋ）等の無線通信方式による通信を行うための基地局７とを備え、これら装置同士がネットワークＮを介して接続されている。また、ネットワークＮは、当該システム専用の通信回線であってもよいが、システム構成の自由度を高くするには、イーサネット（登録商標）等の既存の回線であってもよい。コンソール装置３はカセッテ１、放射線画像撮影装置２、クレードル装置５を制御する。
【００１２】
放射線画像撮影装置２は、放射線照射装置８及びカセッテ１から構成されている。放射線照射装置８は、放射線源８１及び放射線源制御手段８２を有しており、放射線源８１は、コンソール装置３から指示された放射線の照射特性情報（放射線源８１にかける管電圧、管電流、照射時間等）に従って放射線を発生するよう、放射線源制御手段８２により制御される。
【００１３】
ここで、撮影室は撮影本室６と撮影前室９とからなり、撮影本室６には放射線画像撮影装置２が設置されて撮影が行われ、撮影前室９にはコンソール装置３とクレードル装置５とが設置されて撮影の操作が行われる。撮影本室６にはドア６ａ、撮影前室にはドア９ａ、撮影本室６と撮影前室の間にはドア９ｂが備えられている。
【００１４】
使用者がコンソール装置３から放射線照射装置８に放射線照射の指示を出すと、放射線照射装置８は被検体の撮影部位に対して放射線を照射する。照射された放射線は被検体の撮影部位を通過し、撮影部位の内部情報が放射線の強度分布情報に変換されてカセッテ１に検出される。
【００１５】
図２は、放射線画像撮影システム１００の全景と、被検体撮影の状況を示す図である。使用者は、複数のカセッテ１が装填されたクレードル装置５から一のカセッテ１を選び、臥位用テーブル６ｂの下部に装填する。放射線画像撮影を受ける被検体Ｓは、臥位用テーブル６ｂの上に臥せ、放射線の照射を部位に受けて撮影される。
【００１６】
コンソール装置３は、図３に示すように、無線通信手段３４、画像記憶部３５、表示部３６、選択手段３２、モード制御手段３３１を含んだ制御手段３３を有す。コンソール装置３を構成する各部分はバス３７によって繋がれ、信号のやり取りが行われている。
【００１７】
無線通信手段３４は放射線画像撮影装置８と通信する。画像記憶部３５はカセッテ１から送信された画像データを記憶する。表示部３６は撮影結果等を表示する。制御手段３３はコンソール装置の機能全体を制御する。
【００１８】
モード制御手段３３１は、カセッテ１において後述する撮影モードと撮影待機モードの間の切替えを行う。
【００１９】
また、コンソール装置３では、図示しない操作部を介して使用者が撮影指示をするようになっており、操作部からの撮影指示に基づいて放射線画像撮影装置２を制御するようになっている。
【００２０】
カセッテ１で得られた画像信号に基づく画像データに対して、コンソール装置３では、色調の補正などの画像処理が施すことができると同時に、撮影が適切に行われたか使用者が目視確認をするための画像データを表示できるようになっている。
【００２１】
使用者は、表示部３６に表示された画像データが適切であると確認した場合には、操作部を介してホストコンピュータ４に送信するようになっている。
【００２２】
次に、図４（ａ）を用いてカセッテ１の構造と外観を説明する。カセッテ１は可搬性に優れた形態を有しており、例えば導電性有機化合物を用いて形成された光電変換層を備えるフラットパネル型の放射線ディテクタ（Ｆｌａｔ  Ｐａｎｅｌ  Ｄｅｔｅｃｔｏｒ）である。カセッテ１の前面には、放射線照射装置８から照射されて被検体を透過したＸ線等の放射線を電気信号に変換して放射線画像検出する光電変換層１１が備えられている。光電変換層１１には、入射された放射線の強度に応じて発光を行う発光層２１が形成されている。
【００２３】
カセッテ１の他の部分には、制御部１９、画像記憶部１２、接続端子１７、表示部１６、電源部１５、放射線検出手段２２、図示しない無線通信手段１４などが備えられている。詳しくは後述する。
【００２４】
発光層２１は、蛍光体を主たる成分とするものであり、入射した放射線に基づいて、波長が３００ｎｍから８００ｎｍの光、すなわち、可視光線を中心に紫外光から赤外光にわたる光を出力する。なお、発光層２１は、一般的にシンチレータ層と呼ばれている。
【００２５】
この発光層２１で用いられる蛍光体としては、ＣａＷＯ4、ＣｄＷＯ4等を母体とするものや、ＣｓＩ：ＴｌやＧｄ2Ｏ2Ｓ：Ｔｂ、ＺｎＳ：Ａｇ等の母体内に発光中心物質が賦活されたものを用いることができる。また、希土類元素をＭとしたとき、（Ｇｄ、Ｍ、Ｅｕ）2Ｏ3の一般式で示される蛍光体を用いることもできる。
【００２６】
特に、Ｘ線吸収及び発光効率が高いことよりＣｓＩ：ＴｌやＧｄ2Ｏ2Ｓ：Ｔｂが好ましく、これらを用いることで、ノイズの低い高画質の画像を得ることができる。
【００２７】
光電変換層１１は、電気エネルギーを生成し、画素毎に蓄える光電変換素子と、蓄えられた電気エネルギーを信号として出力するためのスイッチング素子であるトランジスタから形成されている。
【００２８】
光電変換素子としては、例えばフォトダイオードが用いられるが、特に限定する必要はなく、その他の固体撮像素子（電荷結合型素子など）あるいは光電子増倍管のような素子であってもよい。
【００２９】
また、トランジスタとしては、例えば薄膜トランジスタ（ＴＦＴ）が用いられる。ＴＦＴは、液晶ディスプレイ等に使用されている無機半導体系のものでも、有機半導体を用いたものでもよい。
【００３０】
なお、光電変換層１１は、前述したようなスイッチング素子を用いるものに限られるものではなく、例えば蓄えられた電気エネルギーのエネルギーレベルに応じた信号を生成して出力する構成とすることもでき、一般には、ガラス基板上に配されたアモルファスシリコンで形成されている。
【００３１】
光電変換層１１の近傍には、光電変換層１１を駆動させる駆動回路として、蓄積された電気エネルギーを画像信号として出力する走査駆動回路と、照射された放射線の強度に応じて蓄積された電気エネルギーを読み出す信号読み出し回路とが設けられている。
【００３２】
次に図４（ｂ）のブロック図を用いてカセッテ１の動作を説明する。カセッテ１には、記憶手段としてフラッシュメモリなどの書き替え可能な読み出し専用メモリ等を用いて光電変換層１１から出力された画像信号を一時記憶する画像記憶部１２と、ネットワークＮ上の放射線画像撮影システム１００を構成する各部材と通信を行い、撮影開始信号を受信する無線通信手段１４と、カセッテ１を構成する各部位に電力を供給する電力供給源としての電源部１５とが備えられており、電源部１５としては、バッテリ及び電池のいずれも使用可能である。
【００３３】
また、カセッテ１には、コンソール装置のモード制御手段３３１からの指示を受け、撮影モードと撮影待機モードのそれぞれのモード間の切替えを行うモード切替手段１８が備えられている。
【００３４】
ここで、撮影モードとは、カセッテ１を構成する全ての部材が稼動している状態、すなわち、カセッテ１の全ての部材に電圧が印加されている状態にあり、後述する一連の撮影動作が行われるようになっている。
【００３５】
一方、撮影待機モードは、撮影モードよりも消費電力の少ないモードであり、電源部１５の切替によりカセッテ１の構成部材のうち電圧を印加する部材を少なくしたりすることでカセッテ１の消費電力を変化させている。
【００３６】
例えば、撮影モードでは、信号読み出し回路、走査駆動回路、フォトダイオード、ＴＦＴ、画像記憶部１２、無線通信手段１４、接続端子１７、後述する制御部１９に電圧が印加されるように構成されており、撮影待機モードでは、フォトダイオード、ＴＦＴ、信号読み出し回路を除いて全ての部分に電圧を印加して立ち上げるように構成されており、撮影を行っていない場合において、最も消費電力の大きい信号読み出し回路と、長時間電圧が印加されることで劣化しやすいフォトダイオード、ＴＦＴへの電圧の印加を遮断し、消費電力の削減と、構成部材の劣化を防止するように構成されている。
【００３７】
制御部１９は、モード切替手段１８の動作を制御する機能の他、カセッテ１を構成する各部材の動作を制御する機能を有しており、無線通信手段１４を介してコンソール装置３から送信される撮影開始信号を常に検出するようにも構成されている。
【００３８】
放射線検出手段２２は、被写体領域外に備えられ、放射線源が発した放射線を検知し、放射線が実際に放射線源から放射されているか確認する役割を有する。
【００３９】
また、カセッテ１には、電源部１５に蓄積されたバッテリ量や放射線画像撮影の撮影準備の完了や画像記憶部１２に所定量の画像信号が書き込まれたことを示す表示部１６が備えられている。そして電源部１５ではモードの切替えに応じて各部に供給する電力を切替える。
【００４０】
また、カセッテ１には、接続端子１７が備えられており、長時間撮影を行わない場合や充電する場合には、使用者がカセッテ１をクレードル装置５に載置して使用するようになっている。
【００４１】
なお、カセッテ１を構成する各部分はバス１３によって繋がれ、信号のやり取りが行われている。
【００４２】
次に撮影動作について説明する。最初に信号読み出し回路でリセット動作が行われて溜まった残留電荷を取り除いた後に、空読み動作が行われてカセッテ１の初期化が行われる。その後、カセッテ１は、放射線照射装置８から放射線が照射されるようになっており、フォトダイオードでは放射線強度に応じて電気信号が発生して蓄積されるようになっている。そして、Ｘ線が照射された後に、走査駆動回路及び信号読み出し回路が駆動されて、ＴＦＴがスイッチングされ、フォトダイオードに蓄積された電気信号が導通し、信号読み出し回路に送られて、デジタル信号へ変換されるようになっている（電気信号の読み取り）。そして、制御部１９はこのデジタル信号を画像信号として画像記憶部１２に一旦保持した後、クレードル装置５への送信（画像信号の転送）が行われるようになっている。
【００４３】
以上のように放射線画像撮影システム１００は、放射線画像撮影装置、カセッテ１、クレードル装置、コンソール、及びホストコンピュータなどからなり、コンソールやホストコンピュータから使用者が操作を行い、被検体の放射線画像撮影を行う。
【００４４】
次に本実施形態における撮影のフローについて図５を用いて説明する。本実施形態では、一度撮影に使用することで撮影モードから撮影待機モードに切り替わったカセッテ１を使用者が誤って新たな撮影に用いる誤撮影を回避するために、クレードル装置から取り出した全てのカセッテ１を撮影モードに切替える動作を行う。
【００４５】
ステップＳ１では、使用者が一のカセッテ１を撮影モードに選択する。選択するに際しては、コンソール装置における選択手段３２を用いる。具体的な選択の方法について、図６を用いて説明する。図６はコンソール装置の表示部３６の画面である。
【００４６】
表示部３６では、これから撮影を行う被検体Ｓの情報が載せられた撮影リスト７２と、撮影リスト７２から選択されて次に撮影を行う被検体Ｓの情報７１（ここでは氏名及び撮影部位）と、その被検体に対して撮影に使用されるカセッテ１のＩＤ番号の表示７３と、ネットワーク７上のカセッテ１のＩＤ番号の表示７４、７５、７６等がそれぞれ表示されている。
【００４７】
使用者はネットワーク７上のカセッテ１のＩＤ番号の表示７４、７５、７６のうちの何れかを選択手段を用いて選択する。選択手段としては、キーボードやマウスを用いる。マウスを用いた場合には、カセッテ１のＩＤ番号の表示７４、７５、７６のうちの何れかにカーソルを合わせてクリックすることで選択を行う。選択されたカセッテ１の表示が表示７３に現れる。
【００４８】
撮影リスト７２には、氏名、撮影部位、性別、備考等の情報が載せられており、さらに、予め設定しておいた撮影リストの被検体Ｓの撮影に使用されるカセッテ１の表示が載せられていてもよい。
【００４９】
使用者が何れかのカセッテ１の表示を選択すると、次に図７に示すような表示が現れる。カセッテ１の情報として、カセッテ１のＩＤ番号の表示と、撮影サイズ、感度、動作状態、撮影モード等の選択表示が現れるようになっている。カセッテ１の動作状態は、撮影モード状態表示８０１と撮影待機モード状態表示８０２の二つの表示が点灯により区別可能になっている。
【００５０】
ここで、使用者は、切替表示８０３を撮影モードへマウスで選択することで、カセッテ１を撮影モードへ切替えることができる。
【００５１】
次にステップＳ２では、一のカセッテ１が撮影モードに選択されたことをモード制御手段３３１が検出し、コンソール装置３の無線通信手段３４がカセッテ１の無線通信手段１４を介して全てのカセッテ１が撮影モードに選択されたという情報を各カセッテ１の制御部１９に送信する。各カセッテ１の制御部１９はモード切替手段１８に指示し、モード切替手段はカセッテ１を撮影モードに切替える。
【００５２】
次に、ステップＳ３では、実際に撮影を実施する。全てのカセッテ１を撮影モードにしているので、選択したカセッテ１とは異なるカセッテ１を用いて撮影したとしても、そのカセッテ１は撮影モードの状態にあるので撮影が行われている。従って使用者が誤って撮影したカセッテ１を特定できれば、そのカセッテ１の画像記憶部から撮影した画像を取り出して用いればよい。
【００５３】
以上のように、一のカセッテ１が選択された時点で、他の全てのカセッテ１を撮影モードに切替えることで、使用者が撮影モードの状態にないカセッテ１を誤って用いることによる誤撮影の虞がなくなる。
【００５４】
次に、放射線画像撮影システムの第２の実施形態について説明する。第１の実施形態においては、使用者が一のカセッテ１を撮影モードに切替えるとともに、撮影室内の他の全てのカセッテ１を撮影モードに切替えた。このように、全てのカセッテ１を撮影モードに切替えることによって、撮影に使用するカセッテ１は必ず撮影モードに切替えられているので、誤撮影を無くすことができる。第２の実施形態においては、さらに、撮影モードに切替えられている撮影に使用しないカセッテ１を撮影待機モードに切替えて消費電力を削減する。
【００５５】
具体的には、放射されたＸ線を検出したカセッテ１を特定し、放射されたＸ線を検出したカセッテ１以外のカセッテ１を撮影待機モードに切替える。以下、図１の放射線画像撮影システムの概略構成図を参照しつつ、図８のフロー図を基に説明する。
【００５６】
最初にステップＳ１１においてカセッテ１を撮影モードに切替える。カセッテ１を用いて、放射線源から発せられた放射線を検出するためである。
【００５７】
次にステップＳ１２において、技師等の使用者は放射線源８１から放射線が発せられるよう放射線照射装置８に対してコンソール装置から指示を出す。
【００５８】
次にステップＳ１３においては、ステップＳ１２においてコンソール装置が放射線照射装置８に放射線を発する指示を行ってから経過した時間を知るためのタイマの時間計測を開始させる。タイマは制御手段３３内に備えられている。
【００５９】
次にステップＳ１４において、各カセッテ１において放射線の検出を行う。
【００６０】
次にステップＳ１５において、所定時間（例えば３秒間）が経過したかカセッテ１の制御部１９が判断する。なお所定の時間は、照射キューに対する応答遅れを考慮し、各カセッテ１が放射線を検出できる時間である。所定時間が経過した場合には、ステップＳ１６へ移り、所定時間が経過していない場合には、所定時間の経過の判断を継続する。
【００６１】
次にステップＳ１６において、所定時間内に各カセッテ１の放射線検出手段２２が放射線を検出したか否かを制御部１９が判断し、放射線を検出していないカセッテ１のＩＤをコンソールに備えられたモード制御手段３３１へ送信する。
【００６２】
次にステップＳ１７において、コンソールのモード制御手段３３１は、放射線を検出していないカセッテ１のモード切替手段１８に対して、撮影待機状態へ切替えるように指示を出す。その指示を受け、モード切替手段１８はカセッテ１を撮影待機モードへ切替える。
【００６３】
なお、各カセッテ１に自動的に撮影待機状態へ遷移する切替え手段があっても良い。例えば、放射線検知を判断する役割と、撮影待機状態へカセッテ１を切替える役割を各カセッテ１に備えられている制御部１９に担わせてもよい。こうすると、コンソールとの通信は不要となる。
【００６４】
次にステップＳ１８において、放射線を検出していたカセッテ１への放射線の照射が終了したかどうかを各カセッテ１の制御部１９が判断する。放射線の照射が終了すれば、ステップＳ１９へ移り、放射線の照射が継続している間は、放射線の照射の終了の検知を継続する。
【００６５】
次にステップＳ１９において、放射線を検出していたカセッテ１が放射線を検出しなくなれば、放射線の照射が終了したと判断して、各ピクセル値の読取処理を行い、画像データをコンソール装置へ送信する。さらに、コンソール装置は画像データを受信すると、カセッテ１を撮影待機モードに切替え、撮影開始指示待ち状態とする。
【００６６】
なお、以上の実施形態においてカセッテ１とコンソール装置３との通信には、無線通信手段を用いる前提で説明したが、有線通信手段を用いてもよい。例えば、コンソール装置３とカセッテ１とを送信ケーブルで繋いで通信してもよい。カセッテ１を持ち運ぶ場合に、通信ケーブルを取り外せば可搬性は損なわれない。また、クレードル装置５とコンソール装置３とを有線通信手段で繋ぎ、クレードル装置５にカセッテ１を装着させ、カセッテ１とコンソール装置３との通信は、クレードル装置５を介して行うようにしてもよい。そうすることで、カセッテ１に通信ケーブルを取り付ける必要がなくなる。
【００６７】
以上のように、撮影モードに切替えられている撮影に使用しないカセッテ１を撮影待機モードに切替えることで消費電力を削減することができる。
【図面の簡単な説明】
【００６８】
【図１】放射線画像撮影システムの概要構成図である。
【図２】被検体と装置構成を示す概要図である。
【図３】コンソール装置の構成図である。
【図４】（ａ）はカセッテのブロック図、（ｂ）は構成概要図である。
【図５】放射線画像撮影システムの動作を示すフロー図である。
【図６】コンソール装置の表示部に表示する被検体の情報を示す図である。
【図７】カセッテの情報を示す図である。
【図８】放射線画像撮影システムの動作を示すフロー図である。
【符号の説明】
【００６９】
１  カセッテ（放射線画像検出器）
５  クレードル装置
１５  電源部
２０  通信制御手段
３２  選択手段
１００  放射線画像撮影システム
３３１  モード制御手段
【図１】
2009219586.tif 000003
【図２】
2009219586.tif 000004
【図３】
2009219586.tif 000005
【図４】
2009219586.tif 000006
【図５】
2009219586.tif 000007
【図６】
2009219586.tif 000008
【図７】
2009219586.tif 000009
【図８】
2009219586.tif 000010